(57)【要約】      （修正有）【課題】頭皮や毛穴の汚れをキレイに洗い流せるシャワーノズルの提供。【解決手段】シャワーノズル部分の開閉弁切替スイッチでブラシ状の部分からのシャワーと通常のシャワー穴からの２通りを使い分けられるようにし、ブラシ状のシャワー機能を使うことにより、ブラッシング感覚で頭皮マッサージや毛穴、頭皮膜の汚れをよりキレイに洗い流す事ができる。【選択図】図１
0003110842.tif 000002
【実用新案登録請求の範囲】
【請求項１】
シャワーベッドにブラシのような物を設置し、ブラシ１本１本の先端部分から水が出る様にし通常のシャワーとブラシからの頭皮や毛穴洗浄のシャワーとが切り替えスイッチによって使い分けられる。
【考案の詳細な説明】
【考案の詳細な説明】
【考案が解決しようとする課題】
【０００１】  従来のシャワーヘッドは穴が空いているだけの物しか無かったため、頭を洗う時に頭皮が上手く洗えず頭皮膜を爪等で傷を付けるだけでなく毛髪の毛表皮（キューティクル）を痛めその上、寄生虫や油、埃が溜る毛穴まで洗うことは難しかった。
【考案が解決しょうとする課題】
【０００２】  上記のように頭皮膜や毛表皮（キューティクル）又毛穴に溜まる油・埃・寄生虫等が発生しないように清潔かつ安全に頭皮の汚れを洗い流せるシャワーヘッド。
【課題を解決するための手段】
【０００３】  シャワーノズル内の図Ｃと図Ｄに分ける切替弁によるスイッチでシャワーヘッド内部のシャワー穴部分とブラシ状部分とに分けて水を流し、頭専用洗浄ブラシとして設置し直接頭皮膜・毛穴の汚れを洗い流す様にする。
【考案の効果】
【０００４】  図Ｂによって頭皮膜・毛穴に近ずけ図Ｂ′から水が出る勢いで、頭皮膜・毛表皮（キューティクル）等を傷つけずにスムーズかつ清潔に毛穴の汚れまでも洗い流すことが出来る。
【図面の簡単な説明】
【図１】全体の断面図である。
【図２】全体の図である。
【図３】切替ノズルの平面図と立面図である。
【符号の説明】
Ａ  ブラシ・シャワー貯水室
Ｂ  ブラシ先端部分の拡大図
Ｃ  横面断面図
Ｃ′縦面断面図
Ｄ  通常シャワー貯水室
Ｅ  吸盤形にした通常シャワーの拡大図
Ｇ  切替弁スイッチ
Ｈ  ノズル部分
0003110842.tif 000003
0003110842.tif 000004
0003110842.tif 000005
【図１】
0003110842.tif 000006
【図２】
0003110842.tif 000007
【図３】
0003110842.tif 000008
【手続補正書】
【提出日】平成16年4月3日(2004.4.3)
【手続補正１】
【補正対象書類名】実用新案登録請求の範囲
【補正対象項目名】全文
【補正方法】変更
【補正の内容】
【実用新案登録請求の範囲】
【請求項１】
従来のシャワーヘッド内部に（図１）のブラシを埋め込み、通常のシャワー口とブラシの先端部分から排水が出る様に二重槽にする、その内のブラシの１本１本を空洞にしブラシの先端部分（図１−Ｂ）四方斜め下向きに穴を開け配水が出るようにした、シャワーヘッドである。
【請求項２】
切り替え弁（図３）入水口（図３−Ｊ３）から（図３−Ｊ１）と（図３−Ｊ２）とに分けて配水が出るように切り替えスイッチ（図３−Ｋ）をスライドさせる事により、二個ある弁（図３−Ｒ）が交互に開閉し、通常のシャワーとブラシ状から出る排水の水圧を下げる事なく配水が出る切り替え弁である。
【請求項３】
従来のシャワーヘッド部分を長方形型にまとめ中心向き内側にカーブを付け壁に掛けた状態で余分に配水が散らばらない特徴をもつ形体シャワーヘッドである。
【手続補正書】
【提出日】平成16年8月20日(2004.8.20)
【手続補正２】
【補正対象書類名】実用新案登録請求の範囲
【補正対象項目名】全文
【補正方法】変更
【補正の内容】
【実用新案登録請求の範囲】
【請求項１】
シャワーノズル内部に、先端部に放水穴を備えた多数の中空のブラシピンを有する中空のブラシを、ブラシピンがシャワーノズルのシャワー穴間を通して前方に突出するように設置するとともに、ブラシとシャワーノズルに対する給水を切り替える切り替弁を付設したシャワーヘッド。
【手続補正３】
【補正対象書類名】明細書
【補正対象項目名】全文
【補正方法】変更
【補正の内容】
【考案の詳細な説明】
【技術分野】
【０００１】  この考案はシャワーヘッドに関する。
【背景技術】
【０００２】  従来のシャワーヘッドは、頭部の洗浄時には、シャワーノズルのシャワー穴から放水しながら手洗いするだけであるため、寄生虫や油、埃などが溜まる毛穴まで綺麗に洗うことが難しいとともに、手洗いを強くすると、爪などで頭皮膜や毛表皮（キューティクル）を傷つけるという問題がある。
【考案の開示】
【０００３】  この考案の課題は、頭皮膜や毛表皮を傷つけることなく、毛穴まで綺麗に洗うことができるシャワーヘッドを提供することにある。
【課題を解決するための手段】
【０００４】  この考案は、上記の課題を解決するために、実用新案登録請求の範囲の請求１に記載のように、シャワーノズルの内部に、先端部に放水穴を備えた多数の中空のブラシピンを有する中空のブラシを、ブラシピンがシャワーノズルのシャワー穴間を通して外方に突出するように設置するとともに、ブラシとシャワーノズルに対する給水を切り替える切り替弁を付設したシャワーヘッドを提供する。
【考案の効果】
【０００５】  この考案にシャワーヘッドは、頭部を洗う時には、切替弁の切り替え操作により、ブラシへの給水状態で、ブラシピンの先端部を頭部に近接させて使用するもので、ブラシピンからの放水力によって、頭皮膜や毛表皮を傷つけることなく、頭部を綺麗に洗うことができる。
【考案を実施するための最良の形態】
【０００６】  図示のように、この考案のシャワーヘッドＨは、凹曲面形の正面の壁部に多数の皿（吸盤）形のシャワー穴Ｅを有する略長方形のシャワーノズル３の内部Ｄに、シャワー穴Ｅの間の部分を通して前方に突出するとともに先端部に放水穴Ｂを形成した多数の中空のブラシピン２と、ブラシピン２に通じる中空部Ａを有する中空のブラシ１を内蔵するとともに、ブラシ１の中空部Ａとシャワーノズル３の内部Ｄに、それぞれへの接続口Ｊ１、Ｊ２及び切替スイッチＫを有する切替弁Ｇを接続する形態で実施することができる。【０００７】  この構造におけるシャワーノズル３の凹曲面刑とシャワー穴Ｅの皿形は、放水の広がりを抑えて、水の有効利用（身体に対する集中）を図るものである。
【図面の簡単な説明】
【０００８】
【図１】  この考案の実施形態の略斜視図である。
【図２】  図１に示す実施形態の側断面図である。
【図３】  図１に示す実施形態の略断面図である。
【図４】  図２のＸ部の拡大図である。
【図５】  図２の矢印Ｃ方向から見た部分略図である。
【図６】  切替弁の拡大略平面図である。
【図７】  切替弁の略正面図である。
【符号の説明】
【０００９】        １  ブラシ
２  ブラシピン
３  シャワーノズル
Ａ  中空部
Ｂ  放水穴
Ｄ  内部
Ｅ  シャワー穴
Ｇ  切替弁
Ｈ  シャワーヘッド
Ｊ１  接続工
Ｊ２  接続工
Ｋ  切替スイッチ
【手続補正４】
【補正対象書類名】図面
【補正対象項目名】全面
【補正方法】変更
【補正の内容】
【書類名】            図面
【図１】
0003110842.tif 000009
【図２】
0003110842.tif 000010
【図３】
0003110842.tif 000011
【図４】
0003110842.tif 000012
【図５】
0003110842.tif 000013
【図６】
0003110842.tif 000014
【図７】
0003110842.tif 000015